(57)【要約】  【課題】既存のトイレットペーパーの押さえ板に対して、取り替えが容易な高級感のある装飾カバーを実現すると共に、トイレットペーパーの保持腕部にも取り替えが容易な装飾カバーを装着可能とすることによって、トイレ内を美しい安らぎの空間とすることにある。  【解決手段】トイレットペーパーホルダーのトイレットペーパー押さえ板を上下両側から挟持できるように、表板と裏板とからなり、該表板と裏板が手前側の端部で開閉可能に連結されていて、左右両端は、内部のトイレットペーパー押さえ板が見えないようにカバーできる構成となっている。前記の裏板に、暗証用の文や歌詞、外国語などを表示しておくと、暗証作業に最適である。【選択図】  図１
0003123289.tif 000002
【実用新案登録請求の範囲】
【請求項１】
トイレットペーパーホルダーのトイレットペーパー押さえ板を上下両側から挟持できるように、表板と裏板とからなり、該表板と裏板が手前側の端部で開閉可能に連結されていて、左右両端は、内部のトイレットペーパー押さえ板が見えないようにカバーできる構成となっていることを特徴とするトイレットペーパーの押さえ板の装飾カバー。
【請求項２】
トイレットペーパーホルダーのトイレットペーパーの押さえ板を上下両側から挟持できるように、表板と裏板とからなり、該表板と裏板が、左端又は右端だけが開口していて、その反対側と手前の端部が一体に閉じており、前記の開口部から前記の押さえ板を挿入する構成となっていることを特徴とするトイレットペーパーの押さえ板の装飾カバー。
【請求項３】
トイレットペーパーホルダーのトイレットペーパーの押さえ板を上下両側から挟持できるように、表板と裏板とからなり、該表板又は裏板を前記押さえ板に重ねた状態で、残りの裏板又は表板を重ねると共に、該表板と裏板の外端同士を互いに係合させる構成となっていることを特徴とするトイレットペーパーの押さえ板の装飾カバー。
【請求項４】
前記のトイレットペーパーホルダーにおけるトイレットペーパーの保持腕部をカバーする装飾カバーが、保持腕部の正面から着脱式に装着できる構造であることを特徴とする請求項１、請求項２または請求項３に記載のトイレットペーパーの押さえ板の装飾カバー。
【請求項５】
前記のトイレットペーパーホルダーにおけるトイレットペーパーの保持腕部をカバーする装飾カバーが、保持腕部の外面と内面と、上下手前の各表面とに渡って被さるようなカバーからなり、そのトイレットペーパー側の前記内面は、トイレットペーパー保持軸の通過が可能なようにスリット状の窓穴となっていることを特徴とする請求項１、請求項２または請求項３に記載のトイレットペーパーの押さえ板の装飾カバー。
【請求項６】
前記の裏板に、暗証用の文や歌詞、外国語などを表示してあることを特徴とする請求項１から請求項５までのいずれかの項に記載のトイレットペーパーの押さえ板の装飾カバー。
【考案の詳細な説明】
【技術分野】
【０００１】
本考案は、トイレットペーパーホルダーにおけるトイレットペーパーの押さえ板用の装飾カバーに関する。
【背景技術】
【０００２】
特開2000−107066公報によると、トイレットペーパーホルダーにおけるトイレットペーパーの押さえ板として、花模様がステンドグラスで描かれた押さえ板を用いることで、トイレ内を華やかにすることが提案されている。また、意匠登録第1223720 号によると、トイレットペーパーホルダーにおけるトイレットペーパーの押さえ板に動物の顔の図柄を表示し、トイレットペーパーの保持部を動物の両手で形成するデザインが提案されている。
【特許文献１】特開2000−107066
【特許文献２】意匠登録第1223720
【考案の開示】
【考案が解決しようとする課題】
【０００３】
しかしながら、特許文献１のように、トイレットペーパーの押さえ板自体を、花模様がステンドグラスで描かれた構成にすると、長期間使用して飽きた場合でも、気に入ったデザインと交換したりすることはできず、いろいろなデザインを楽しむということができない。
また、特許文献２のように、トイレットペーパーの押さえ板に動物の顔を表現し、動物の両手でトイレットペーパーの保持腕部を形成するデザインの場合も、そのデザインに飽きた場合に交換して気分や雰囲気を変えたりすることもできず、融通が効かないという問題がある。
【０００４】
生活レベルの向上に伴い、長年使用してきた旧来のトイレットペーパーホルダーのデザインを変更したり、より高級化することによって、トイレ内を美化したり、時々デザインを変更してトイレ内の雰囲気や環境を向上して、生活の質を向上することが望まれる。本考案の技術的課題は、このような問題に着目し、既存のトイレットペーパーの押さえ板に対して、取り替えが容易な高級感のある装飾カバーを実現すると共に、トイレットペーパーの保持腕部にも取り替えが容易な装飾カバーを装着可能とすることによって、トイレ内を美しい安らぎの空間とすることにある。
【課題を解決するための手段】
【０００５】
本考案の技術的課題は次のような手段によって解決される。請求項１は、トイレットペーパーホルダーのトイレットペーパー押さえ板を上下両側から挟持できるように、表板と裏板とからなり、該表板と裏板が手前側の端部で開閉可能に連結されていて、左右両端は、内部のトイレットペーパー押さえ板が見えないようにカバーできる構成となっていることを特徴とするトイレットペーパーの押さえ板の装飾カバーである。このように、トイレットペーパーホルダーのトイレットペーパー押さえ板を上下両側から挟持できるように、表板と裏板とからなり、該表板と裏板が手前側の端部で開閉可能に連結されていて、左右両端は、内部のトイレットペーパー押さえ板が見えないようにカバーできる構成となっているので、表板や裏板が、金属製や合成樹脂製などの薄板で容易に製造でき、しかも高級感を出すことができる。また、装飾カバーの左右両端は、内部のトイレットペーパー押さえ板が見えないようにカバーできる構成となっているので、全く新規な装飾カバーに見える。なお、表面には気の効いた図柄を表示するなどの装飾を施すことは言うまでもない。
【０００６】
請求項２は、トイレットペーパーホルダーのトイレットペーパーの押さえ板を上下両側から挟持できるように、表板と裏板とからなり、該表板と裏板が、左端又は右端だけが開口していて、その反対側と手前の端部が一体に閉じており、前記の開口部から前記の押さえ板を挿入する構成となっていることを特徴とするトイレットペーパーの押さえ板の装飾カバーである。このように、トイレットペーパーホルダーのトイレットペーパーの押さえ板を上下両側から挟持できるように、表板と裏板とからなり、該表板と裏板が、左端又は右端だけが開口していて、その反対側と手前の端部が一体に閉じており、前記の開口部から前記の押さえ板を挿入する構成となっているので、成型の容易な金属板製や樹脂製などに適している。この場合も、装飾カバーの表面に美しい図柄を表示したりして装飾を施し、高級感を出すことは言うまでもない。
【０００７】
請求項３は、トイレットペーパーホルダーのトイレットペーパーの押さえ板を上下両側から挟持できるように、表板と裏板とからなり、該表板又は裏板を前記押さえ板に重ねた状態で、残りの裏板又は表板を重ねると共に、該表板と裏板の外端同士を互いに係合させる構成となっていることを特徴とするトイレットペーパーの押さえ板の装飾カバーである。このように、トイレットペーパーホルダーのトイレットペーパーの押さえ板を上下両側から挟持できるように、表板と裏板とからなり、該表板又は裏板を前記押さえ板に重ねた状態で、残りの裏板又は表板を重ねると共に、該表板と裏板の外端同士を互いに係合させる構成となっているので、表板と裏板を全く別体にして、表板と裏板を全く異なる材料で構成することもできる。したがって、表板と裏板の片方はガラス製や陶磁器製などのように変形不可能な剛体とし、他方は金属板や合成樹脂板のような弾性変形の可能な材質とすることで、ガラス製や陶磁器製も使用可能となり、より高級感の有る装飾が可能となる。
【０００８】
請求項４は、前記のトイレットペーパーホルダーにおけるトイレットペーパーの保持腕部をカバーする装飾カバーが、外面に被さるように正面から着脱式に装着できる構造であることを特徴とする請求項１、請求項２または請求項３に記載のトイレットペーパーの押さえ板の装飾カバーである。このように、前記のトイレットペーパーホルダーにおけるトイレットペーパーの保持腕部をカバーする装飾カバーが、正面から外面に被さるように着脱式に装着できる構造であるので、保持腕にも高級感のある装飾カバーを被せて装飾できる。
【０００９】
請求項５は、前記のトイレットペーパーホルダーにおけるトイレットペーパーの保持腕部をカバーする装飾カバーが、保持腕部の外面と内面と、上下手前の各表面とに渡って被さるようなカバーからなり、そのトイレットペーパー側の前記内面は、トイレットペーパー保持軸の通過が可能なようにスリット状の窓穴となっていることを特徴とする請求項１、請求項２または請求項３に記載のトイレットペーパーの押さえ板の装飾カバーである。このように、前記のトイレットペーパーホルダーにおけるトイレットペーパーの保持腕部をカバーする装飾カバーが、保持腕部の外面と内面と、上下手前の各表面とに渡って被さるようなカバーからなり、そのトイレットペーパー側の前記内面は、トイレットペーパー保持軸の通過が可能なようにスリット状の窓穴となっているので、傾斜付き保持腕においても高級感のある装飾カバーを被せて装飾できる。
【００１０】
請求項６は、前記の裏板に、暗証用の文や歌詞、外国語などを表示してあることを特徴とする請求項１から請求項５までのいずれかの項に記載のトイレットペーパーの押さえ板の装飾カバーである。このように、トイレットペーパーの押さえ板の装飾用の裏板に、暗証用の文や歌詞、外国語などを表示してあると、押さえ板がトイレットペーパーの上に被さっている状態で暗証し、確認の際のみ持ち上げて裏板の表示内容を見れるので、暗証作業に適している。
【考案の効果】
【００１１】
請求項１のように、トイレットペーパーホルダーのトイレットペーパー押さえ板を上下両側から挟持できるように、表板と裏板とからなり、該表板と裏板が手前側の端部で開閉可能に連結されていて、左右両端は、内部のトイレットペーパー押さえ板が見えないようにカバーできる構成となっているので、表板や裏板が、金属製や合成樹脂製などの薄板で容易に製造でき、しかも高級感を出すことができる。また、装飾カバーの左右両端は、内部のトイレットペーパー押さえ板が見えないようにカバーできる構成となっているので、全く新規な装飾カバーに見える。
【００１２】
請求項２のように、トイレットペーパーホルダーのトイレットペーパーの押さえ板を上下両側から挟持できるように、表板と裏板とからなり、該表板と裏板が、左端又は右端だけが開口していて、その反対側と手前の端部が一体に閉じており、前記の開口部から前記の押さえ板を挿入する構成となっているので、成型の容易な金属板製や樹脂製などに適している。
【００１３】
請求項３のように、トイレットペーパーホルダーのトイレットペーパーの押さえ板を上下両側から挟持できるように、表板と裏板とからなり、該表板又は裏板を前記押さえ板に重ねた状態で、残りの裏板又は表板を重ねると共に、該表板と裏板の外端同士を互いに係合させる構成となっているので、表板と裏板を全く別体にして、表板と裏板を全く異なる材料で構成することもできる。したがって、表板と裏板の片方はガラス製や陶磁器製などのように変形不可能な剛体とし、他方は金属板や合成樹脂板のような弾性変形の可能な材質とすることで、ガラス製や陶磁器製も使用可能となり、より高級感の有る装飾が可能となる。
【００１４】
請求項４のように、前記のトイレットペーパーホルダーにおけるトイレットペーパーの保持腕部をカバーする装飾カバーが、外面に被さるように正面から着脱式に装着できる構造であるので、保持腕にも高級感のある装飾カバーを被せて装飾できる。
【００１５】
請求項５のように、前記のトイレットペーパーホルダーにおけるトイレットペーパーの保持腕部をカバーする装飾カバーが、保持腕部の外面と内面と、上下手前の各表面とに渡って被さるようなカバーからなり、そのトイレットペーパー側の前記内面は、トイレットペーパー保持軸の通過が可能なようにスリット状の窓穴となっているので、傾斜付き保持腕においても高級感のある装飾カバーを被せて装飾できる。
【００１６】
請求項６のように、トイレットペーパーの押さえ板の装飾用の裏板に、暗証用の文や歌詞、外国語などを表示してあると、押さえ板がトイレットペーパーの上に被さっている状態で暗証し、確認の際のみ持ち上げて裏板の表示内容を見れるので、暗証作業に適している。
【考案を実施するための最良の形態】
【００１７】
次に本考案によるトイレットペーパーの押さえ板の装飾カバーが実際上どのように具体化されるか実施形態を説明する。図１は開閉タイプの実施形態で、（１）はトイレットペーパー支持軸１と直角方向の縦断面図である。壁面２にネジＳで取付け固定されているトイレットペーパーホルダーの本体Ｂの上部に取付けてある水平の支軸３によって、トイレットペーパーＰの押さえ板４が上下回動可能に支持されている。なお、平面図で見ると、本体Ｂと図４の左側の保持腕１１と右側の保持腕１２とでコの字状に形成されている。そして、押さえ板４の上面に表板５が重なっており、下面に裏板６が重なっている。このように、３枚の板が重なった状態で、上下の表板５と裏板６で押さえ板４が挟持されている。
【００１８】
図１の（２）は、図１（１）図のＡ−Ａ断面図であり、上側の表板５の両端が下向きに垂下して、下側の裏板６の両端を越えた位置で内向き（トイレットペーパーＰ側向き）のフックｆ状に形成されている。そのため、このフックｆが下側の裏板６の両端を越えた位置で、前記フックｆの弾力で互いにロックされ、係合する。そのため、強力な力で、上側の表板５と下側の裏板６を押さえ板４から分離する方向の力を加えない限り、表板５や裏板６が押さえ板４から外れることはない。また、押さえ板４の両端がフックｆの部分でカバーされるので、見苦しくない。
【００１９】
図１（３）は、表板５と裏板６を押さえ板４から外した状態の断面図であり、この実施形態では、表板５と裏板６の手前側の端部７が互いに一体に結合している。そして、この結合部７に鋸歯状のカッター部Ｃが形成されていて、トイレットペーパーをカットできる。表板５の反対側の端部（後端）８は下向きに湾曲している。さらに湾曲させてフックを形成し、図１（１）のように装着した状態で、裏板６の後端まで延びてカバーすると共にフックすることも可能である。したがって、押さえ板４や裏板６の後端が露出して、見苦しくなることはない。図１（３）のように表板５と裏板６が開いた状態では、５〜１０ｍｍ程度の間隔があってもよいし、ほとんど重なった状態でも差し支えない。表板５や裏板６は弱い弾力があるので、開いたり閉じたりするのは容易である。
【００２０】
図１（４）は、表板５と裏板６の先端の連結部７の他の実施形態であり、表板５の先端寄りの両端に設けた垂下片に軸孔９を開け、裏板６の先端寄りの両端に設けた上向き舌片に軸孔１０を開けてある。そして、左側の軸孔９、１０にピン又はリベット等を挿入し、右側の軸孔９、１０にピン又はリベット等を挿入することによって、表板５と裏板６の先端同士を回動可能に軸支連結する。この構造の場合は、表板５と裏板６を開いた状態で、間に押さえ板４を挿入してから、図１（２）のように、フックｆが下側の裏板６の両端を越えた位置で、弾力でロックされる。この場合は、表板５の先端に鋸歯状のカッターＣを形成する。なお、フックｆは、フック機能はなく、押さえ板４の両端を単にカバーするだけでも足りる。
【００２１】
図２（１）は３層構造の装飾カバーの実施形態で、表板５の層と裏板６の層との間にスペーサー層となる空間があり、このスペーサー層の空間に押さえ板４が収納される。表板５と裏板６の前端は一体となり、かつ先端に鋸歯状のカッターＣが形成されている。押さえ板４は、紙面の上側が開口可能で、開口させた状態で押さえ板４を開口から挿入する。図２（２）は図２（１）のＡ−Ａ断面図で、左右方向の右端は、押さえ板４の右端をカバーできるように袋状になっており、左端側は、表板５の左端の垂下部に形成されたフックｆが下側の裏板６の左端を越えた位置で、弾力でロックされている。図２（３）は、表板５と裏板６の右端が開いた状態であり、左端が開いているので、この開口から押さえ板４が抜けるように、３層装飾カバーを矢印ａ１方向に移動させると、押さえ板４から取り外すことができる。
【００２２】
逆に、開口が開いた状態で３層装飾カバーを矢印ａ１と逆方向に移動させて押さえ板４に被せた状態で、表板５の左端と裏板６の左端とを互いに押さえつけると、表板５左端のフックｆが裏板６の左端を越えた位置で弾力でロックされ、押さえ板４から離脱不能となる。図示例では、左端が開口しているが、逆に右端が開口し、左端が袋状に閉じた形状でもよい。
【００２３】
図３は、表板５と裏板６とが完全に分離し別体となる実施形態の断面図で、間に押さえ板４を挟んだ状態で、表板５の先端のカッター部Ｃ側が裏板６の先端を覆っている。Ａ−Ａ方向の断面図で見ると、図１（２）と全く同じに見える。すなわち、表板５の左右方向の両端が垂下して、押さえ板４と裏板６の左右両端をカバーしている。理想的には、フックｆが下側の裏板６の両端を越えた位置で弾力でロックされ、裏板６および押さえ板４から離脱不能となる。また、後端もフックｆで裏板６の後端をロックしている。
【００２４】
以上のように、押さえ板４の上側は表板５でカバーされるので、表板５として、高級感のある構成とすることによって、トイレットペーパーホルダーを高級化できる。例えば図６（１）のように観光地の特産品や名所などの図や写真などを表示しておくと、みやげ品として好適である。広告宣伝にも適している。あるいは、例えば芭蕉の句や英文などを表示した装飾カバーを使用することによって、句や英文の暗証にも利用できる。なお、長期間使用して飽きてきたら、別の図柄の装飾カバーと交換すればよいので、気分転換にもなり、みやげ品を贈った人も感謝される。
【００２５】
また、押さえ板４の下側は裏板６でカバーされるので、押さえ板４を持ち上げた状態では、押さえ板４の下側（裏側）も高級に見える。なお、裏板６にも、観光地などの名所や特産品などの図柄を表示したり、暗証用の句や英文などを表現しておくのがよい。特に裏板６は、常時はトイレットペーパーの上に被さっていて見えないので、暗証に適しており、暗証内容の確認などの際のみ持ち上げて、裏板６の表現内容を見ればよいので、暗証作業に最適である。したがって、観光地などにまつわる歌詞などを表示しておくのもよい。なお、裏板６自体に当初から暗証内容を表示しておくのがよいが、暗証する本人が所望の文などを裏板６に書き込んだり、書き込んだ紙を貼り付けたりするすることも可能である。
【００２６】
このように、表板５と裏板６が全く別体なため、表板５と裏板６を全く異なる材料で構成することもできる。例えば、表板５としては、ガラス製や陶磁器製などの剛体で高級感のある仕上がりとし、裏板６としては、金属板や合成樹脂板のような弾性変形の可能な材質とすることで、着脱が容易な構造を実現できる。
【００２７】
トイレットペーパーホルダーは、トイレットペーパーＰの軸芯の両端を保持するために左右の保持腕が必要であるが、この保持腕にも装飾カバーを取付け可能とすることが望ましい。この保持腕の装飾カバーは、保持腕にその正面から被せるタイプと前後方向にスライドするタイプとがある。図４（１）は被せるタイプを前方から見た軸芯位置の縦断面図で、左側の保持腕１１に左側から装飾カバーＣ１を被せてある。この装飾カバーＣ１は、左側の保持腕１１の左側の表面と上下と手前側の端面をカバーできる形状であることは言うまでもない。
【００２８】
そして、左側の保持腕１１の上下と手前側の端面を通過した位置で内側に突出する突起ｄ又はフックを有している。この突起ｄやフックは、部分的な突起に限らず、上下と手前側の全周にわたる突起やフックであってもよい。その結果、図示のように装着状態の装飾カバーＣ１の上下を持って左側すなわち正面側に引っ張れば、左側の保持腕１１から容易に引き抜くことができる。逆に、引き抜いた状態の装飾カバーＣ１を左側の保持腕１１に左側からすなわち左側の保持腕１１の正面から矢印ａ３方向に被せると、突起ｄの部分が保持腕１１の内周端を通過した時点で、装飾カバーＣ１自体や突起ｄの弾力でロックされる。したがって、装飾カバーＣ１は、保持腕１１に対し、その正面から着脱可能に装着できることになる。
【００２９】
右側の装飾カバーＣ２は、前記の左側の装飾カバーＣ１とは全く逆向きの形状になっている。したがって、右側から装飾カバーＣ２を、右側の保持腕１２に右側の正面から被せるようにして装着すると、突起ｄが右側の保持腕１２の内周端を通過した位置で内側に突出して、弾力でロックされる。図４（２）は、前記の右側の保持腕１２と装飾カバーＣ２を矢印ａｉで示す内側から見た側面図で、保持腕１２がほぼ四角形状の例である。１３は、軸芯１の挿入孔、破線１４は保持腕１２の外周位置、ｄは突起部である。装飾カバーＣ２の壁面２側の端縁１５は、保持腕１２と壁面２との隙間に嵌入できるように、わずかに内側に折り曲げられ、据え付け状態の本体Ｂや保持腕１１、１２などが外から見えないように処理してある。なお、装飾カバーＣ１、Ｃ２は、前方から矢印ａ２方向にスライドして装着することも可能である。
【００３０】
図５は、保持腕に対し前後方向にスライドさせて着脱するタイプの装飾カバーで、（１）図は、左側の保持腕用を内側から見た斜視図である。（２）図は、（１）図のＢ−Ｂ水平断面図である。この装飾カバーＣ３は、図４（２）のような四角形状の保持腕でも適用できるが、普及タイプのほぼ三角状の傾斜タイプに適している。この装飾カバーＣ３は、左側の外面Ｓ１と内面Ｓ２と上側面Ｓ３と手前側面Ｓ４と下側面Ｓ５とからなっている。そして、トイレットペーパー側の内面Ｓ２には、前記軸芯１が通過できるように、スリット状の窓穴１６を開けてある。
【００３１】
装着に際しては、この装飾カバーＣ３を鎖線で示す左側の保持腕11ａに対し、手前側から前記壁面２側に向かって被せるようにして差し込むと、左側の保持腕11ａの全面がカバーされる。ただし、トイレットペーパーを保持する軸芯１が通過するスリット状の窓孔１６が空いているので、この領域だけは保持腕11ａの内面が露出するが、トイレットペーパーに隠れているので、特に問題とはならない。なお、左側の外面Ｓ１の壁面側の端縁１５は、図４（２）の端縁１５と同じように内側にわずかに曲がり込んでいて、壁面２と本体Ｂとの間の隙間に嵌入できるので、保持腕11ａの端部が露出するのを防げる。右側の保持腕に被せる装飾カバーは、左側の装飾カバーＣ３と左右対称形状に形成されることは言うまでもない。
【産業上の利用可能性】
【００３２】
以上のように、本考案による装飾カバーによると、既存のトイレットペーパーの押さえ板や左右の保持腕部に対して、高級感のある装飾カバーを着脱可能に構成されているため、取り替えが容易となり、好みの装飾を施した装飾カバーを装着することによって、トイレットの室内の雰囲気を豊かにして楽しむことが可能となる。
【図面の簡単な説明】
【００３３】
【図１】押さえ板用装飾カバーの開閉タイプの実施形態である。
【図２】層構造の装飾カバーの実施形態である。
【図３】表板と裏板が分離する装飾カバーの実施形態である。
【図４】保持腕にその正面から着脱するタイプの装飾カバーの実施形態である。
【図５】傾斜タイプ保持腕に対し前後方向にスライドさせて着脱する装飾カバーの実施形態である。
【図６】（１）は、押さえ板の装飾カバーに観光地の特産品や名所などを表示した例、（２）は、保持腕の装飾カバーに観光地特有の花や動物を表示した例である。
【符号の説明】
【００３４】
１  トイレットペーパーの支持軸
２  壁面
３  押さえ板の支軸
ｆ  フック
４  押さえ板
５  表板
６  裏板
７  手前側の端部
８  表板の反対側の端部（後端）
９・10  軸孔
Ｃ  カッター  
１１  左側の保持腕
１２  右側の保持腕  
１３  軸芯の挿入孔
１４  保持腕の外周位置  
ｄ  突起部
１５  壁面側の端縁
１６  スリット状の窓穴
【図１】
0003123289.tif 000003
【図２】
0003123289.tif 000004
【図３】
0003123289.tif 000005
【図４】
0003123289.tif 000006
【図５】
0003123289.tif 000007
【図６】
0003123289.tif 000008
【手続補正書】
【提出日】平成18年5月1日(2006.5.1)
【手続補正１】
【補正対象書類名】実用新案登録請求の範囲
【補正対象項目名】全文
【補正方法】変更
【補正の内容】
【実用新案登録請求の範囲】
【請求項１】
壁面２に本体Ｂを介して装着される左右の保持腕１１、１２と、トイレットペーパーの押さえ板４と、その水平の支軸３とを含むトイレットペーパーホルダーにおいて、
前記押さえ板４を上下両側から挟持できるように、上側に装着する表板５と下側に装着する裏板６とからなり、該表板５と裏板６が押さえ板先端側の端部で開閉可能に連結されていて、押さえ板４の左右両端側は、内部の押さえ板４が見えないようにカバーできる構成となっていることを特徴とするトイレットペーパーの押さえ板の装飾カバー。
【請求項２】
壁面２に本体Ｂを介して装着される左右の保持腕１１、１２と、トイレットペーパーの押さえ板４と、その水平の支軸３とを含むトイレットペーパーホルダーにおいて、
前記押さえ板４を上下両側から挟持できるように、上側に装着する表板５と下側に装着する裏板６とからなり、該表板５と裏板６が、その左端又は右端だけが開口していて、その反対側と押さえ板先端側の端部が一体に閉じており、前記の開口部から前記の押さえ板４を挿入する構成となっていることを特徴とするトイレットペーパーの押さえ板の装飾カバー。
【請求項３】
壁面２に本体Ｂを介して装着される左右の保持腕１１、１２と、トイレットペーパーの押さえ板４と、その水平の支軸３とを含むトイレットペーパーホルダーにおいて、
前記押さえ板４を上下両側から挟持できるように、上側に装着する表板５と下側に装着する裏板６とからなり、該表板５と該裏板６とが完全に分離し別体となる構造であって、  該表板５又は該裏板６を前記押さえ板４に重ねた状態で、残りの裏板６又は表板５を重ねると共に、該表板５と裏板６の外端同士をロック手段で互いに係合させる構成となっていることを特徴とするトイレットペーパーの押さえ板の装飾カバー。
【請求項４】
前記の左右の保持腕１１、１２をカバーする装飾カバーＣ１、Ｃ２であって、左側の装飾カバーＣ１は、左側の保持腕１１に左側から被せ、右側の装飾カバーＣ２は、右側の保持腕１２に右側から被せることによって、前記保持腕１１、１２に左側又は右側から着脱式に装着できる構造であることを特徴とする請求項１、請求項２または請求項３に記載のトイレットペーパーの押さえ板の装飾カバー。
【請求項５】
前記の左右の保持腕をカバーする装飾カバーが、保持腕の外面と内面と、上下手前の各表面とに渡って被さるようなカバーからなり、そのトイレットペーパー側の前記内面は、トイレットペーパー保持軸の通過が可能なようにスリット状の窓穴１６となっていることを特徴とする請求項１、請求項２または請求項３に記載のトイレットペーパーの押さえ板の装飾カバー。
【請求項６】
前記の裏板６に、暗証用の文や歌詞、外国語などの暗証内容を表示してあることを特徴とする請求項１から請求項５までのいずれかの項に記載のトイレットペーパーの押さえ板の装飾カバー。